(57)【要約】【課題】  室内側吸込み温度と目標温度との差より圧縮機運転周波数を決定する制御では、除湿・冷却能力が過多となり、冷え過ぎとなることがある。【解決手段】  室内側吸込み温度検出手段と、室内側配管温度検出手段と、室外側吸込み温度検出手段と、圧縮機と、室内側送風機と、室外側送風機と、制御装置を有する空気調和機において、室内側吸込み温度から目標とする露点温度を算出し、この温度に室内側配管温度を略一致させることで、除湿能力を確保しながら冷え過ぎを防止することができる。【選択図】  図１ 
2005077025.tif 000002
【特許請求の範囲】
【請求項１】
室内側吸込み温度検出手段と、室内側配管温度検出手段と、室外側吸込み温度検出手段と、圧縮機と、室内側送風機と、室外側送風機と、制御装置を有する空気調和機であって、前記室内側吸込み温度検出手段により検出された室内側吸込み温度から目標相対湿度と露点温度を決定し、前記室内側配管温度を前記露点温度に略一致させるように制御することを特徴とする空気調和機。
【請求項２】
圧縮機運転周波数と室内側送風機の回転数を変動させて、室内側配管温度を露点温度に略一致させることを特徴とする、請求項１記載の空気調和機。
【請求項３】
圧縮機運転周波数と室内側送風機の回転数と室外側送風機の回転数を変動させて、室内側配管温度を露点温度に略一致させることを特徴とする、請求項１記載の空気調和機。
【請求項４】
冷房運転時あるいは除湿運転時のいずれか、または両方で室内側配管温度の制御を行うことを特徴とする、請求項１〜３のいずれかに記載の空気調和機。
【請求項５】
遠隔操作装置の所定のボタンを押下したときに室内側送風機の回転数を優先して変更し、室内配管温度の制御をすることを特徴とする、請求項１〜４のいずれかに記載の空気調和装置。
【発明の詳細な説明】
【技術分野】
【０００１】
本発明は空気調和機に関し、さらに詳しくは空気調和機の室内ユニットの制御装置に関するものである。
【背景技術】
【０００２】
従来、この種の空気調和機は下記のようなものがあった。
【０００３】
図５は従来の空気調和機の冷凍サイクル図である。同図において、圧縮機１０１から吐出された冷媒は４方弁１０２、室外側熱交換器１０３、絞り部１０４、室内側熱交換器１０５、４方弁１０２と通り、再び圧縮機１０１に吸入され、この流れを繰返し行う。
【０００４】
このとき、室外側熱交換器１０３には室外側送風機１０７により室外側空気が貫通し、室外側熱交換器内の冷媒と室外側空気との間で熱交換が行われる。そして、同時に室内側熱交換器１０５には室内側送風機１０７により室内側空気が貫通し、室内側熱交換器内の冷媒と室内側空気との間で熱交換が行われる。
【０００５】
また、図６は従来の空気調和機の制御フローチャートである。図６に示すように、リモコンにより使用者が設定したリモコン温度設定値ＴRと室内側吸込み温度Ｔとから△Ｔ1（＝ＴR−Ｔin）を算出し、圧縮機周波数指示テーブル（図示せず）を用いて、Ｔａに一義的に応じた圧縮機指示周波数を決定し（ＳＴＥＰ１０３）制御していた（例えば、特許文献１参照）。
【特許文献１】特開昭５８−１２４１３７号公報
【発明の開示】
【発明が解決しようとする課題】
【０００６】
しかしながら、前記従来の構成では、リモコン温度設定値と室内側吸込み温度の差によって圧縮機の運転周波数を決定するものであり、能力優先の制御となり不具合が生じることもあった。たとえば、冷房時に室内側熱交換器温度が室内側空気の露点を少し下まわれば十分に除湿し相対湿度を低減し快適性が得られるのにもかかわらず、室内側空気の乾湿球の条件によっては却って冷えすぎを招来してしまう課題を有していた。
【０００７】
本発明は、前記従来の課題を解決するもので、必要とされる能力を発生させて快適性を損なわない空気調和機を提供することを目的とする。
【課題を解決するための手段】
【０００８】
前記従来の課題を解決するために、本発明の空気調和装置は、室内側吸込み温度検出手段と、室内側配管温度検出手段と、室外側吸込み温度検出手段と、圧縮機と、室内側送風機と、室外側送風機と、制御装置を有する空気調和機であって、前記室内側吸込み温度検出手段により検出された室内側吸込み温度から目標相対湿度と露点温度を決定し、前記室内側配管温度を前記露点温度に略一致させるように制御するものである。
【０００９】
これによって、簡単な構成で快適な空調状態を作り出す空気調和機を供給するものである。
【発明の効果】
【００１０】
本発明によれば、室内側吸込み温度検出手段により検出された室内側吸込み温度から目
標相対湿度と露点温度を決定し、前記室内側配管温度を前記露点温度に略一致させるように制御することにより、空気調和機が必要以上の能力を出すことを防止し、冷え過ぎを防止することができる。
【発明を実施するための最良の形態】
【００１１】
第１の発明は、室内側吸込み温度検出手段と、室内側配管温度検出手段と、室外側吸込み温度検出手段と、圧縮機と、室内側送風機と、室外側送風機と、制御装置を有する空気調和機であって、前記室内側吸込み温度検出手段により検出された室内側吸込み温度から目標相対湿度と露点温度を決定し、前記室内側配管温度を前記露点温度に略一致させるように制御することで、冷房あるいは除湿に必要な室内側熱交換器の温度、即ち室内側空気の露点温度に前記室内側熱交換器温度が到達する様に制御するものである、この制御により空気調和機が、必要なだけの能力を発揮し、冷え過ぎを防止しすることができる。
【００１２】
第２の発明は、特に、圧縮機運転周波数と室内側送風機の回転数を変動させて、室内側配管温度を露点温度に略一致させることにより、空気調和機が、必要なだけの能力を発揮し、冷え過ぎを防止しすることができる。
【００１３】
第３の発明は、特に、圧縮機運転周波数と室内側送風機の回転数と室外側送風機の回転数を変動させて、室内側配管温度を露点温度に略一致させることにより、空気調和機が、必要なだけの能力を発揮し、冷え過ぎを防止しすることができる。
【００１４】
第４の発明は、特に、冷房運転時あるいは除湿運転時のいずれか、または両方で室内側配管温度の制御を行うことにより、空気調和機が、必要なだけの能力を発揮し、冷え過ぎを防止しすることができる。
【００１５】
第５の発明は、特に、遠隔操作装置の所定のボタンを押下したときに室内側送風機の回転数を優先して変更し、室内配管温度の制御をすることにより、空気調和機が、必要なだけの能力を発揮し、冷え過ぎを防止しすることができる。
【００１６】
以下、本発明の実施の形態について、図面を参照しながら説明する。なお、この実施の形態によって本発明が限定されるものではない。
【００１７】
（実施の形態１）
図１は、本発明の第１の実施の形態における空気調和機のブロック図を示すものである。
【００１８】
同図において、制御装置３には室内側吸込み温度検出手段１からの室内側吸込み温度と室内側配管温度検出手段２からの室内側配管温度が入力され、制御装置により露点温度が計算され、圧縮機４と室外側送風機５と室内側送風機６が制御される。また、リモコン温度設定値はリモコン温度設定手段７により入力される。
【００１９】
以上のように構成された空気調和機について、以下その動作、作用を説明する。
【００２０】
図２は本発明の第１の実施の形態における空気調和機の制御フローチャートである。
【００２１】
まず、リモコン温度設定値設定手段７によりリモコン温度設定値ＴRが設定され（Ｓｔｅｐ１）、室内側吸込み温度検出手段１により室内側空気の吸込み温度Ｔinを、室外側吸込み温度検出手段により室外側空気の吸込み温度Ｔout検出し（Ｓｔｅｐ２）、室内側配管温度検出手段２により室内側熱交換器の配管温度Ｔpを検出する（Ｓｔｅｐ３）。
【００２２】
次に、前記Ｔin用い、露点温度計算テーブルによって目標相対湿度並びに露点温度ＴDを計算する（Ｓｔｅｐ４）。
【００２３】
次に、△Ｔ1＝ＴR−Ｔinを計算し、この値△Ｔ1と圧縮機運転周波数決定テーブルを用いて、圧縮機運転周波数補正値△ｆを計算する（Ｓｔｅｐ５）。
【００２４】
次に、△Ｔ1と室内送風機回転数決定テーブルを用いて、室内側送風機補正値△Ｎinを計算する（Ｓｔｅｐ６）。
次に、室外側温度Ｔoutと室外送風機回転数決定テーブルを用いて、室外側送風機補正値△Ｎoutを計算する（Ｓｔｅｐ７）。
【００２５】
次に、現在の圧縮機運転周波数に△ｆを加算して補正し（Ｓｔｅｐ８）、現在の室内側送風機回転数に△Ｎinを加算して補正し（Ｓｔｅｐ９）、現在の室外側送風機回転数に△Ｎoutを加算して補正し（Ｓｔｅｐ１０）する。
【００２６】
そして、−１≦Ｔp−ＴD＜０となるか否かを判断し（Ｓｔｅｐ１１）、成立しなければＳｔｅｐ１に戻り、成立すれば終了する。
以上のように、本実施の形態においては室内側の配管温度が露点温度近傍に到達するようにすることで、確実に除湿し、快適性を確保しながら冷え過ぎを防止することができる。
【００２７】
（実施の形態２）
本発明の第２の実施の形態は、冷房運転時あるいは除湿運転時のいずれかあるいは両方において遠隔操作装置（リモコン）の所定のボタンを押下した時に、実施の形態１に記載のＳｔｅｐ９の室内側送風機の回転数を優先的に変更するものである。この制御を行うことによって、使用者の要求する送風能力を優先的に選択しながら、同時に冷え過ぎを防止することができる。
【産業上の利用可能性】
【００２８】
以上のように、本発明にかかる空気調和機は、室内側吸込み温度検出手段により検出された室内側吸込み温度から目標相対湿度と露点温度を決定し、前記室内側配管温度を前記露点温度に略一致させるように制御することで、除湿能力を確保しながら冷え過ぎを防止することが可能となるので、家庭用空気調和機のみならず、車載用空気調和機その他の冷凍装置や除湿装置の用途にも適用できる。
【図面の簡単な説明】
【００２９】
【図１】本発明の実施の形態１における制御ブロック図
【図２】本発明の実施の形態１における制御フローチャート
【図３】（ａ）は本発明の実施の形態１、２における露点温度算出テーブルを示す図（ｂ）は本発明の実施の形態１、２における運転周波数補正値算出テーブルを示す図（ｃ）は本発明の実施の形態１、２における室内側送風機回転数補正値算出テーブルを示す図（ｄ）は本発明の実施の形態１、２における室外側送風機回転数補正値算出テーブルを示す図
【図４】本発明の実施の形態１におけるタイムチャート
【図５】従来の空気調和機の冷凍サイクル図
【図６】従来の空気調和機の制御フローチャート
【符号の説明】
【００３０】
１  室内側吸込み温度検出手段
２  室内側配管温度検出手段
３  制御装置
４  圧縮機
５  室外側送風機
６  室内側送風機
７  リモコン温度設定手段
８  室外側吸込み温度検出手段
【図１】
2005077025.tif 000003
【図２】
2005077025.tif 000004
【図３】
2005077025.tif 000005
【図４】
2005077025.tif 000006
【図５】
2005077025.tif 000007
【図６】
2005077025.tif 000008